(57)【要約】【課題】本体部に電源部を内蔵することができるタイプの電源分離型の電子機器であって、給電方法の確認が容易な電源分離型の電子機器を提供する。【解決手段】電源分離型の電子機器は、本体部１０及び電源部２０を備え、本体部１０から電源部２０を分離することができ、本体部１０に電源部２０を内蔵することもできる電源分離型電子機器であって、本体部１０に表示素子１１が設けられ、表示素子１１の表示状態が本体部１０の外部から視認可能であり、電源部２０が本体部１０に内蔵されている状態（図１（ａ）の状態）で電源部２０から本体部１０に給電がなされている場合と、電源部２０が本体部１０に内蔵されていない状態（図１（ｂ）の状態）で電源部２０から本体部１０に給電がなされている場合とで表示素子１１の表示状態を異ならせる。【選択図】図１
2012114836.tif 000002
【特許請求の範囲】
【請求項１】
本体部及び電源部を備え、前記本体部から前記電源部を分離することができ、前記本体部に前記電源部を内蔵することもできる電子機器であって、
前記本体部に表示素子が設けられ、前記表示素子の表示状態が前記本体部の外部から視認可能であり、
前記電源部が前記本体部に内蔵されている状態で前記電源部から前記本体部に給電がなされている場合と、前記電源部が前記本体部に内蔵されていない状態で前記電源部から前記本体部に給電がなされている場合とで前記表示素子の表示状態を異ならせることを特徴する電子機器。
【請求項２】
前記電源部が前記本体部に内蔵されている状態で前記電源部から前記本体部に給電がなされ、前記本体部に設けられている所定の回路の動作電圧が所定の範囲内である場合に、前記表示素子が第１の表示状態になり、
前記電源部が前記本体部に内蔵されている状態で前記電源部から前記本体部に給電がなされ、前記所定の回路の動作電圧が前記所定の範囲外である場合に、前記表示素子が第２の表示状態になり、
前記電源部が前記本体部に内蔵されていない状態で前記電源部から前記本体部に給電がなされ、前記所定の回路の動作電圧が前記所定の範囲内である場合に、前記表示素子が第３の表示状態になり、
前記電源部が前記本体部に内蔵されていない状態で前記電源部から前記本体部に給電がなされ、前記所定の回路の動作電圧が前記所定の範囲外である場合に、前記表示素子が第４の表示状態になることを特徴とする請求項１に記載の電子機器。
【請求項３】
前記所定の範囲が下限閾値以上であることを特徴とする請求項２に記載の電子機器。
【請求項４】
前記所定の範囲が下限閾値以上、上限閾値以下であることを特徴とする請求項２に記載の電子機器。
【請求項５】
第１の表示状態が第１の表示色での点灯であり、第２の表示状態が第１の表示色での点滅であり、第３の表示状態が第２の表示色での点灯であり、第４の表示状態が第２の表示色での点滅であることを特徴とする請求項２〜４のいずれか１項に記載の電子機器。
【発明の詳細な説明】
【技術分野】
【０００１】
本発明は、本体部から電源部を分離することができる電源分離型の電子機器に関する。
【背景技術】
【０００２】
本体部から電源部を分離することができる電源分離型の電子機器の一例として、電源分離型ブースター（例えば特許文献１及び特許文献２参照）が挙げられる。
【０００３】
電源分離型ブースターには、筐体、筐体のカバー、及び増幅部を備えた本体部に電源部を内蔵することができるタイプのものがある。このようなタイプの電源分離型ブースターは、図１（ａ）に示すように本体部１０に電源部２０を内蔵した状態で使用することも、図１（ｂ）に示すように本体部１０から電源部２０を分離して電源部２０を商用電源コンセントの近くに設置し本体部１０のＲＦ出力端子（図１（ｂ）に示す使用状態では給電入力端子としても機能する）Ｔ２と電源部２０のＲＦ入力兼給電出力端子（ただし、図１（ａ）に示す使用状態ではオープン状態であるため、ＲＦ入力も給電出力も行わない）２１とを同軸ケーブル３０で接続した状態で使用することも可能である。図１（ａ）に示す状態は、本体部１０の設置場所が商用電源コンセントから近い場合等に好適であり、図１（ｂ）に示す状態は、本体部１０の設置場所が商用電源コンセントから遠い場合等に好適である。
【０００４】
なお、本体部１０は、増幅されたＴＶ放送信号をＴＶ受信機（不図示）へ出力するＲＦ出力端子Ｔ２以外に、ＣＡＴＶ局（不図示）より伝送されてくるＴＶ放送信号が入力されるＲＦ入力端子Ｔ１、表示素子１１、アンプ（図１において不図示）等を備えており、ＲＦ入力端子Ｔ１に入力されたＲＦ信号をアンプ（図１において不図示）で増幅した後ＲＦ出力端子Ｔ２から出力する。表示素子１１は本体部１０の内部に設けられるが、本体部１０の正面カバーは表示素子１１の配置位置に対応する部分が透光部になっているため、本体部１０の正面カバーを外すことなく表示素子１１の表示状態を確認（視認）することができる。これに対して、本体部１０に対する電源部２０の着脱は本体部１０の正面カバーをあけなければ行えない。
【０００５】
また、電源部２０は、ＲＦ入力兼給電出力端子２１以外にＲＦ出力端子２２、商用電源プラグ２３等を備えており、商用電源プラグ２３に印加される商用電源電圧を所定値のＤＣ電源電圧に変換して、ＲＦ入力兼給電出力端子２１がオープン状態である場合（図１（ａ）に示す状態）には所定値のＤＣ電源電圧を電源部２０の背面に備えられている電源端子（不図示）から出力し、ＲＦ入力兼給電出力端子２１がオープン状態でない場合（図１（ｂ）に示す状態）には所定値のＤＣ電源電圧をＲＦ入力兼給電出力端子２１から出力する。
【先行技術文献】
【特許文献】
【０００６】
【特許文献１】特開平１１−３４１３９６号公報（要約）
【特許文献２】特開２０１０−１０７５５号公報（要約）
【発明の概要】
【発明が解決しようとする課題】
【０００７】
本体部に電源部を内蔵することができるタイプの電源分離型ブースターの従来例では、表示素子１１は、緑色ＬＥＤであってパイロットランプとして機能し、電源部２０から本体部１０にＤＣ電源電圧が供給されて本体部１０が動作状態である場合に点灯し、電源部２０から本体部１０にＤＣ電源圧が供給されておらず本体部１０が非動作状態である場合に消灯する。このため、ブースターが動作状態であるか否かは一目で確認することができるが、電源部２０が本体部１０に内蔵されている状態で給電がなされているか電源部２０が本体部１０に内蔵されていない状態で給電がなされているかは本体部１０の正面カバーをあけなければ確認することができず、施工時に手間がかかっていた。
【０００８】
このような課題は、本体部に電源部を内蔵することができるタイプの電源分離型ブースターに限らず、本体部に電源部を内蔵することができるタイプの電源分離型の電子機器全般に共通する課題である。
【０００９】
本発明は、上記の状況に鑑み、本体部に電源部を内蔵することができるタイプの電源分離型の電子機器であって、給電方法の確認が容易な電源分離型の電子機器を提供することを目的とする。
【課題を解決するための手段】
【００１０】
上記目的を達成するために本発明に係る電子機器は、本体部及び電源部を備え、前記本体部から前記電源部を分離することができ、前記本体部に前記電源部を内蔵することもできる電子機器であって、前記本体部に表示素子が設けられ、前記表示素子の表示状態が前記本体部の外部から視認可能であり、前記電源部が前記本体部に内蔵されている状態で前記電源部から前記本体部に給電がなされている場合と、前記電源部が前記本体部に内蔵されていない状態で前記電源部から前記本体部に給電がなされている場合とで前記表示素子の表示状態を異ならせるようにしている。
【００１１】
このような構成によると、電源部が本体部に内蔵されている状態で給電がなされているか電源部が本体部に内蔵されていない状態で給電がなされているかを表示素子の表示状態によって一目で確認することができるので、給電方法の確認が容易である。
【００１２】
また、前記電源部が前記本体部に内蔵されている状態で前記電源部から前記本体部に給電がなされ、前記本体部に設けられている所定の回路の動作電圧が所定の範囲内である場合に、前記表示素子が第１の表示状態になり、前記電源部が前記本体部に内蔵されている状態で前記電源部から前記本体部に給電がなされ、前記所定の回路の動作電圧が前記所定の範囲外である場合に、前記表示素子が第２の表示状態になり、前記電源部が前記本体部に内蔵されていない状態で前記電源部から前記本体部に給電がなされ、前記所定の回路の動作電圧が前記所定の範囲内である場合に、前記表示素子が第３の表示状態になり、前記電源部が前記本体部に内蔵されていない状態で前記電源部から前記本体部に給電がなされ、前記所定の回路の動作電圧が前記所定の範囲外である場合に、前記表示素子が第４の表示状態になるようにすることが望ましい。
【００１３】
このような構成によると、本体部に設けられている所定の回路の動作電圧が所定の範囲内であるか否かも一目で確認することができる。
【００１４】
なお、前記所定の範囲は、例えば下限閾値以上としてもよく、また例えば下限閾値以上、上限閾値以下にしてもよい。
【００１５】
また、例えば、第１の表示状態を第１の表示色での点灯とし、第２の表示状態を第１の表示色での点滅とし、第３の表示状態を第２の表示色での点灯とし、第４の表示状態を第２の表示色での点滅にしてもよい。
【発明の効果】
【００１６】
本発明に係る電子機器によると、電源部が本体部に内蔵されている状態で給電がなされているか電源部が本体部に内蔵されていない状態で給電がなされているかを表示素子の表示状態によって一目で確認することができるので、給電方法の確認が容易である。
【図面の簡単な説明】
【００１７】
【図１】本体部に電源部を内蔵することができるタイプの電源分離型ブースターの使用状態を示す正面図である。
【図２】本発明の第１実施形態に係る電源分離型ブースターが備える本体部の概略構成を示す図である。
【図３】本発明の第２実施形態に係る電源分離型ブースターが備える本体部の概略構成を示す図である。
【図４】本発明の第３実施形態に係る電源分離型ブースターが備える本体部の概略構成を示す図である。
【発明を実施するための形態】
【００１８】
本発明の実施形態について図面を参照して以下に説明する。本発明は、本体部に電源部を内蔵することができるタイプの電源分離型の電子機器全般に適用することができるが、ここでは、当該電子機器の一例であるブースター（本体部に電源部を内蔵することができるタイプの電源分離型ブースター）に本発明を適用した場合を例に挙げて説明する。
【００１９】
＜第１実施形態＞
本発明の第１実施形態に係る電源分離型ブースターは、本体部１０と、電源部２０とを備える構成であって、図１（ａ）に示すように本体部１０に電源部２０を内蔵した状態で使用することも、図１（ｂ）に示すように本体部１０から電源部２０を分離して電源部２０を商用電源コンセントの近くに設置し本体部１０のＲＦ出力端子Ｔ２と電源部２０のＲＦ入力兼給電出力端子２１とを同軸ケーブル３０で接続した状態で使用することも可能である。
【００２０】
本発明の第１実施形態に係る電源分離型ブースターが備える本体部１０（以下「第１実施形態の本体部１０」と略す。）の概略構成を図２に示す。なお、図２において図１と同一の部分には同一の符号を付す。
【００２１】
第１実施形態の本体部１０は、ＲＦ入力端子Ｔ１と、ＲＦ出力端子Ｔ２と、アンプＡ１と、直流阻止用コンデンサＣ１及びＣ２と、逆流防止用ダイオードＤ１及びＤ２と、高周波阻止用コイルＭ１と、抵抗Ｒ１と、表示素子１１と、本体部側給電端子１２と、ＰＮＰトランジスタＱ１及びＱ２によって構成される点灯回路とを備える。なお、第１実施形態の本体部１０では、表示素子１１として、カソード同士が接続された緑色ＬＥＤ１１Ｇ及び赤色ＬＥＤ１１Ｒを有するＬＥＤパッケージを用いている。
【００２２】
ＲＦ入力端子Ｔ１は直流阻止用コンデンサＣ１を介してアンプＡ１の入力端子に接続される。アンプＡ１の出力端子は直流阻止用コンデンサＣ２を介してＲＦ出力端子Ｔ２に接続される。
【００２３】
本体部側給電端子１２は逆流防止用ダイオードＤ１のアノード及びＰＮＰトランジスタＱ１のエミッタに接続される。また、高周波阻止用コイルＭ１の一端はＲＦ出力端子Ｔ２に接続され、高周波阻止用コイルＭ１の他端は逆流防止用ダイオードＤ２のアノード及びＰＮＰトランジスタＱ２のエミッタに接続される。逆流防止用ダイオードＤ１のカソードと逆流防止用ダイオードＤ２のカソードとは共通接続され、アンプＡ１の電源端子に接続されるとともに、抵抗Ｒ１を介してＰＮＰトランジスタＱ１及びＱ２の各ベースに接続される。
【００２４】
ＰＮＰトランジスタＱ１のコレクタは緑色ＬＥＤ１１Ｇのアノードに接続され、ＰＮＰトランジスタＱ２のコレクタは赤色ＬＥＤ１１Ｒのアノードに接続され、緑色ＬＥＤ１１Ｇ及び赤色ＬＥＤ１１Ｒの各カソードはグランド電位に接続される。
【００２５】
上記のような構成である第１実施形態の本体部１０の動作について説明する。
【００２６】
まず、図１（ａ）に示すように本体部１０に電源部２０を内蔵した状態での動作について説明する。商用電源プラグ２３が商用電源コンセントに差し込まれていない場合、本体部側給電端子１２にＤＣ電源電圧が印加されず、ＲＦ出力端子Ｔ２にもＤＣ電源電圧が重畳されないので、アンプＡ１が駆動せず、緑色ＬＥＤ１１Ｇも赤色ＬＥＤ１１Ｒも消灯している。
【００２７】
これに対して、商用電源プラグ２３が商用電源コンセントに差し込まれている場合、電源部２０の背面に備えられている電源端子（不図示）から本体部側給電端子１２にＤＣ電源電圧が印加され、ＲＦ出力端子Ｔ２にはＤＣ電源電圧が重畳されない。本体部側給電端子１２に印加されたＤＣ電源電圧は逆流防止用ダイオードＤ１を介してアンプＡ１の電源端子に供給され、そのＤＣ電源電圧によってアンプＡ１が駆動する。また、本体部側給電端子１２に印加されたＤＣ電源電圧はＰＮＰトランジスタＱ１のエミッタにも供給される。そして、ＰＮＰトランジスタＱ１のベースには、本体部側給電端子１２に印加されたＤＣ電源電圧を逆流防止用ダイオードＤ１及び抵抗Ｒ１によって降圧した電圧が供給される。
【００２８】
その結果、ＰＮＰトランジスタＱ１がオン状態になり、緑色ＬＥＤ１１ＧのアノードにＤＣ電源電圧が供給され緑色ＬＥＤ１１Ｇが点灯する。一方、ＰＮＰトランジスタＱ２のエミッタにはＤＣ電源電圧が供給されないので、ＰＮＰトランジスタＱ２がオフ状態であり、赤色ＬＥＤ１１Ｒは消灯している。
【００２９】
次に、図１（ｂ）に示すように本体部１０から電源部２０を分離して電源部２０を商用電源コンセントの近くに設置し本体部１０のＲＦ出力端子Ｔ２と電源部２０のＲＦ入力兼給電出力端子２１とを同軸ケーブル３０で接続した状態での動作について説明する。商用電源プラグ２３が商用電源コンセントに差し込まれていない場合、ＲＦ出力端子Ｔ２にＤＣ電源電圧が重畳せず、本体部側給電端子１２にもＤＣ電源電圧が印加されないので、アンプＡ１が駆動せず、緑色ＬＥＤ１１Ｇも赤色ＬＥＤ１１Ｒも消灯している。
【００３０】
これに対して、商用電源プラグ２３が商用電源コンセントに差し込まれている場合、ＲＦ出力端子Ｔ２にＤＣ電源電圧が重畳され、本体部側給電端子１２にはＤＣ電源電圧が印加されない。ＲＦ出力端子Ｔ２に重畳されたＤＣ電源電圧は高周波阻止用コイルＭ１及び逆流防止用ダイオードＤ２を介してアンプＡ１の電源端子に供給され、そのＤＣ電源電圧によってアンプＡ１が駆動する。また、ＲＦ出力端子Ｔ２に重畳されたＤＣ電源電圧は高周波阻止用コイルＭ１を介してＰＮＰトランジスタＱ２のエミッタにも供給される。そして、ＰＮＰトランジスタＱ２のベースには、ＲＦ出力端子Ｔ２に重畳されたＤＣ電源電圧を逆流防止用ダイオードＤ２及び抵抗Ｒ１によって降圧した電圧が供給される。
【００３１】
その結果、ＰＮＰトランジスタＱ２がオン状態になり、赤色ＬＥＤ１１ＲのアノードにＤＣ電源電圧が供給され赤色ＬＥＤ１１Ｒが点灯する。一方、ＰＮＰトランジスタＱ１のエミッタにはＤＣ電源電圧が供給されないので、ＰＮＰトランジスタＱ１がオフ状態であり、緑色ＬＥＤ１１Ｇは消灯している。
【００３２】
本発明の第１実施形態に係る電源分離型ブースターでは、上記の通り、電源部２０が本体部１０に内蔵されている状態で給電がなされている場合に緑色ＬＥＤ１１Ｇが点灯し、電源部２０が本体部１０に内蔵されていない状態で給電がなされている場合に赤色ＬＥＤ１１Ｒが点灯する。したがって、電源部２０が本体部１０に内蔵されている状態で給電がなされているか電源部２０が本体部１０に内蔵されていない状態で給電がなされているかを一目で確認することができる。
【００３３】
＜第２実施形態＞
本発明の第２実施形態に係る電源分離型ブースターは、本体部１０と、電源部２０とを備える構成であって、図１（ａ）に示すように本体部１０に電源部２０を内蔵した状態で使用することも、図１（ｂ）に示すように本体部１０から電源部２０を分離して電源部２０を商用電源コンセントの近くに設置し本体部１０のＲＦ出力端子Ｔ２と電源部２０のＲＦ入力兼給電出力端子２１とを同軸ケーブル３０で接続した状態で使用することも可能である。
【００３４】
本発明の第２実施形態に係る電源分離型ブースターが備える本体部１０（以下「第２実施形態の本体部１０」と略す。）の概略構成を図３に示す。なお、図３において図１及び図２と同一の部分には同一の符号を付す。
【００３５】
第２実施形態の本体部１０は、ＲＦ入力端子Ｔ１と、ＲＦ出力端子Ｔ２と、アンプＡ１と、直流阻止用コンデンサＣ１及びＣ２と、逆流防止用ダイオードＤ１及びＤ２と、高周波阻止用コイルＭ１と、表示素子１１と、本体部側給電端子１２と、下限電圧検出回路１３と、インバータＩＣ１４並びにＰＮＰトランジスタＱ１及びＱ２によって構成される点灯・点滅回路とを備える。なお、第２実施形態の本体部１０では、表示素子１１として、カソード同士が接続された緑色ＬＥＤ１１Ｇ及び赤色ＬＥＤ１１Ｒを有するＬＥＤパッケージを用いている。
【００３６】
ＲＦ入力端子Ｔ１は直流阻止用コンデンサＣ１を介してアンプＡ１の入力端子に接続される。アンプＡ１の出力端子は直流阻止用コンデンサＣ２を介してＲＦ出力端子Ｔ２に接続される。
【００３７】
本体部側給電端子１２は逆流防止用ダイオードＤ１のアノード及びＰＮＰトランジスタＱ１のエミッタに接続される。また、高周波阻止用コイルＭ１の一端はＲＦ出力端子Ｔ２に接続され、高周波阻止用コイルＭ１の他端は逆流防止用ダイオードＤ２のアノード及びＰＮＰトランジスタＱ２のエミッタに接続される。逆流防止用ダイオードＤ１のカソードと逆流防止用ダイオードＤ２のカソードとは共通接続され、アンプＡ１の電源端子に接続されるとともに、下限電圧検出回路１３及びインバータＩＣ１４を介してＰＮＰトランジスタＱ１及びＱ２の各ベースに接続される。
【００３８】
ＰＮＰトランジスタＱ１のコレクタは緑色ＬＥＤ１１Ｇのアノードに接続され、ＰＮＰトランジスタＱ２のコレクタは赤色ＬＥＤ１１Ｒのアノードに接続され、緑色ＬＥＤ１１Ｇ及び赤色ＬＥＤ１１Ｒの各カソードはグランド電位に接続される。
【００３９】
上記のような構成である第２実施形態の本体部１０の動作について説明する。
【００４０】
まず、図１（ａ）に示すように本体部１０に電源部２０を内蔵した状態での動作について説明する。商用電源プラグ２３が商用電源コンセントに差し込まれていない場合、本体部側給電端子１２にＤＣ電源電圧が印加されず、ＲＦ出力端子Ｔ２にもＤＣ電源電圧が重畳されないので、アンプＡ１が駆動せず、緑色ＬＥＤ１１Ｇも赤色ＬＥＤ１１Ｒも消灯している。
【００４１】
これに対して、商用電源プラグ２３が商用電源コンセントに差し込まれている場合、電源部２０の背面に備えられている電源端子（不図示）から本体部側給電端子１２にＤＣ電源電圧が印加され、ＲＦ出力端子Ｔ２にはＤＣ電源電圧が重畳されない。本体部側給電端子１２に印加されたＤＣ電源電圧は逆流防止用ダイオードＤ１を介してアンプＡ１の電源端子に供給され、そのＤＣ電源電圧によってアンプＡ１が駆動する。また、本体部側給電端子１２に印加されたＤＣ電源電圧はＰＮＰトランジスタＱ１のエミッタにも供給される。下限電圧検出回路１３は、アンプＡ１の電源端子に供給されるＤＣ電源電圧が下限電圧（予め設定している下限閾値）以上であるか否かを判定し、アンプＡ１の電源端子に供給されるＤＣ電源電圧が下限電圧以上であれば論理「１」の信号を出力し、アンプＡ１の電源端子に供給されるＤＣ電源電圧が下限電圧未満であれば論理「０」の信号を出力する。インバータＩＣ１４は、論理「１」の信号を入力した場合にはＬｏｗレベルの一定信号を出力し、論理「０」の信号を入力した場合にはＬｏｗレベルとＨｉｇｈレベルが周期的に切り替わるパルス信号を出力する。そして、ＰＮＰトランジスタＱ１のベースにはインバータＩＣ１４の出力信号が供給される。
【００４２】
その結果、アンプＡ１の電源端子に供給されるＤＣ電源電圧が下限電圧以上であれば、ＰＮＰトランジスタＱ１がオン状態になり、緑色ＬＥＤ１１ＧのアノードにＤＣ電源電圧が供給され緑色ＬＥＤ１１Ｇが点灯し、アンプＡ１の電源端子に供給されるＤＣ電源電圧が下限電圧未満であれば、ＰＮＰトランジスタＱ１においてオン状態とオフ状態が周期的に切り替わり、緑色ＬＥＤ１１ＧのアノードへのＤＣ電源電圧の供給／非供給が周期的に切り替わり、緑色ＬＥＤ１１Ｇが点滅する。一方、ＰＮＰトランジスタＱ２のエミッタにはＤＣ電源電圧が供給されないので、ＰＮＰトランジスタＱ２がオフ状態であり、赤色ＬＥＤ１１Ｒは消灯している。
【００４３】
次に、図１（ｂ）に示すように本体部１０から電源部２０を分離して電源部２０を商用電源コンセントの近くに設置し本体部１０のＲＦ出力端子Ｔ２と電源部２０のＲＦ入力兼給電出力端子２１とを同軸ケーブル３０で接続した状態での動作について説明する。商用電源プラグ２３が商用電源コンセントに差し込まれていない場合、ＲＦ出力端子Ｔ２にＤＣ電源電圧が重畳せず、本体部側給電端子１２にもＤＣ電源電圧が印加されないので、アンプＡ１が駆動せず、緑色ＬＥＤ１１Ｇも赤色ＬＥＤ１１Ｒも消灯している。
【００４４】
これに対して、商用電源プラグ２３が商用電源コンセントに差し込まれている場合、電源部２０の背面に備えられている電源端子（不図示）からＲＦ出力端子Ｔ２にＤＣ電源電圧が重畳され、本体部側給電端子１２にはＤＣ電源電圧が印加されない。ＲＦ出力端子Ｔ２に重畳されたＤＣ電源電圧は高周波阻止用コイルＭ１及び逆流防止用ダイオードＤ２を介してアンプＡ１の電源端子に供給され、そのＤＣ電源電圧によってアンプＡ１が駆動する。また、ＲＦ出力端子Ｔ２に重畳されたＤＣ電源電圧は高周波阻止用コイルＭ１を介してＰＮＰトランジスタＱ２のエミッタにも供給される。下限電圧検出回路１３は、アンプＡ１の電源端子に供給されるＤＣ電源電圧が下限電圧（予め設定している下限閾値）以上であるか否かを判定し、アンプＡ１の電源端子に供給されるＤＣ電源電圧が下限電圧以上であれば論理「１」の信号を出力し、アンプＡ１の電源端子に供給されるＤＣ電源電圧が下限電圧未満であれば論理「０」の信号を出力する。インバータＩＣ１４は、論理「１」の信号を入力した場合にはＬｏｗレベルの一定信号を出力し、論理「０」の信号を入力した場合にはＬｏｗレベルとＨｉｇｈレベルが周期的に切り替わるパルス信号を出力する。そして、ＰＮＰトランジスタＱ２のベースにはインバータＩＣ１４の出力信号が供給される。
【００４５】
その結果、アンプＡ１の電源端子に供給されるＤＣ電源電圧が下限電圧以上であれば、ＰＮＰトランジスタＱ２がオン状態になり、赤色ＬＥＤ１１ＲのアノードにＤＣ電源電圧が供給され赤色ＬＥＤ１１Ｒが点灯し、アンプＡ１の電源端子に供給されるＤＣ電源電圧が下限電圧未満であれば、ＰＮＰトランジスタＱ２においてオン状態とオフ状態が周期的に切り替わり、赤色ＬＥＤ１１ＲのアノードへのＤＣ電源電圧の供給／非供給が周期的に切り替わり、赤色ＬＥＤ１１Ｒが点滅する。一方、ＰＮＰトランジスタＱ１のエミッタにはＤＣ電源電圧が供給されないので、ＰＮＰトランジスタＱ１がオフ状態であり、緑色ＬＥＤ１１Ｇは消灯している。
【００４６】
本発明の第２実施形態に係る電源分離型ブースターでは、上記の通り、電源部２０が本体部１０に内蔵されている状態で給電がなされている場合に緑色ＬＥＤ１１Ｇが点灯あるいは点滅し、電源部２０が本体部１０に内蔵されていない状態で給電がなされている場合に赤色ＬＥＤ１１Ｒが点灯あるいは点滅する。したがって、電源部２０が本体部１０に内蔵されている状態で給電がなされているか電源部２０が本体部１０に内蔵されていない状態で給電がなされているかを一目で確認することができる。
【００４７】
また、本発明の第２実施形態に係る電源分離型ブースターでは、上記の通り、下限電圧以上のＤＣ電源電圧がアンプＡ１の電源端子に給電されている場合に緑色ＬＥＤ１１Ｇあるいは赤色ＬＥＤ１１Ｒが点灯し、下限電圧未満のＤＣ電源電圧がアンプＡ１の電源端子に給電されている場合に緑色ＬＥＤ１１Ｇあるいは赤色ＬＥＤ１１Ｒが点滅する。したがって、アンプＡ１の電源端子に給電されているＤＣ電源電圧が下限電圧以上であるか下限電圧未満であるかを一目で確認することができる。例えば、図１（ｂ）に示す状態で同軸ケーブル３０が長ければ同軸ケーブル３０での抵抗損失によってＤＣ電源電圧が下限電圧未満になることがあるため、アンプＡ１の電源端子に給電されているＤＣ電源電圧が下限電圧以上であるか下限電圧未満であるかを一目で確認することができることは有用である。
【００４８】
＜第３実施形態＞
本発明の第３実施形態に係る電源分離型ブースターは、本体部１０と、電源部２０とを備える構成であって、図１（ａ）に示すように本体部１０に電源部２０を内蔵した状態で使用することも、図１（ｂ）に示すように本体部１０から電源部２０を分離して電源部２０を商用電源コンセントの近くに設置し本体部１０のＲＦ出力端子Ｔ２と電源部２０のＲＦ入力兼給電出力端子２１とを同軸ケーブル３０で接続した状態で使用することも可能である。
【００４９】
本発明の第３実施形態に係る電源分離型ブースターが備える本体部１０（以下「第３実施形態の本体部１０」と略す。）の概略構成を図４に示す。なお、図４において図１〜図３と同一の部分には同一の符号を付す。
【００５０】
第３実施形態の本体部１０は、ＲＦ入力端子Ｔ１と、ＲＦ出力端子Ｔ２と、アンプＡ１と、直流阻止用コンデンサＣ１及びＣ２と、逆流防止用ダイオードＤ１及びＤ２と、高周波阻止用コイルＭ１と、表示素子１１と、本体部側給電端子１２と、下限電圧検出回路１３と、上限電圧検出回路１５と、ＮＯＲ回路１６及びインバータＩＣ１４並びにＰＮＰトランジスタＱ１及びＱ２によって構成される点灯・点滅回路とを備える。なお、第３実施形態の本体部１０では、表示素子１１として、カソード同士が接続された緑色ＬＥＤ１１Ｇ及び赤色ＬＥＤ１１Ｒを有するＬＥＤパッケージを用いている。
【００５１】
ＲＦ入力端子Ｔ１は直流阻止用コンデンサＣ１を介してアンプＡ１の入力端子に接続される。アンプＡ１の出力端子は直流阻止用コンデンサＣ２を介してＲＦ出力端子Ｔ２に接続される。
【００５２】
本体部側給電端子１２は逆流防止用ダイオードＤ１のアノード及びＰＮＰトランジスタＱ１のエミッタに接続される。また、高周波阻止用コイルＭ１の一端はＲＦ出力端子Ｔ２に接続され、高周波阻止用コイルＭ１の他端は逆流防止用ダイオードＤ２のアノード及びＰＮＰトランジスタＱ２のエミッタに接続される。逆流防止用ダイオードＤ１のカソードと逆流防止用ダイオードＤ２のカソードとは共通接続され、アンプＡ１の電源端子に接続されるとともに、下限電圧検出回路１３、上限電圧検出回路１５、ＮＯＲ回路１６、及びインバータＩＣ１４を介してＰＮＰトランジスタＱ１及びＱ２の各ベースに接続される。
【００５３】
ＰＮＰトランジスタＱ１のコレクタは緑色ＬＥＤ１１Ｇのアノードに接続され、ＰＮＰトランジスタＱ２のコレクタは赤色ＬＥＤ１１Ｒのアノードに接続され、緑色ＬＥＤ１１Ｇ及び赤色ＬＥＤ１１Ｒの各カソードはグランド電位に接続される。
【００５４】
上記のような構成である第３実施形態の本体部１０の動作について説明する。
【００５５】
まず、図１（ａ）に示すように本体部１０に電源部２０を内蔵した状態での動作について説明する。商用電源プラグ２３が商用電源コンセントに差し込まれていない場合、本体部側給電端子１２にＤＣ電源電圧が印加されず、ＲＦ出力端子Ｔ２にもＤＣ電源電圧が重畳されないので、アンプＡ１が駆動せず、緑色ＬＥＤ１１Ｇも赤色ＬＥＤ１１Ｒも消灯している。
【００５６】
これに対して、商用電源プラグ２３が商用電源コンセントに差し込まれている場合、電源部２０の背面に備えられている電源端子（不図示）から本体部側給電端子１２にＤＣ電源電圧が印加され、ＲＦ出力端子Ｔ２にはＤＣ電源電圧が重畳されない。本体部側給電端子１２に印加されたＤＣ電源電圧は逆流防止用ダイオードＤ１を介してアンプＡ１の電源端子に供給され、そのＤＣ電源電圧によってアンプＡ１が駆動する。また、本体部側給電端子１２に印加されたＤＣ電源電圧はＰＮＰトランジスタＱ１のエミッタにも供給される。下限電圧検出回路１３は、アンプＡ１の電源端子に供給されるＤＣ電源電圧が下限電圧（予め設定している下限閾値）以上であるか否かを判定し、アンプＡ１の電源端子に供給されるＤＣ電源電圧が下限電圧以上であれば論理「１」の信号を出力し、アンプＡ１の電源端子に供給されるＤＣ電源電圧が下限電圧未満であれば論理「０」の信号を出力する。上限電圧検出回路１５は、アンプＡ１の電源端子に供給されるＤＣ電源電圧が上限電圧（予め設定している上限閾値）以下であるか否かを判定し、アンプＡ１の電源端子に供給されるＤＣ電源電圧が上限電圧以下であれば論理「０」の信号を出力し、アンプＡ１の電源端子に供給されるＤＣ電源電圧が上限電圧より大きければ論理「１」の信号を出力する。ＮＯＲ回路１６は、下限電圧検出回路１３の出力信号と上限電圧検出回路１５の出力信号を入力し、下限電圧検出回路１３の出力信号と上限電圧検出回路１５の出力信号の否定論理和を出力する。インバータＩＣ１４は、論理「１」の信号を入力した場合にはＬｏｗレベルの一定信号を出力し、論理「０」の信号を入力した場合にはＬｏｗレベルとＨｉｇｈレベルが周期的に切り替わるパルス信号を出力する。そして、ＰＮＰトランジスタＱ１のベースにはインバータＩＣ１４の出力信号が供給される。
【００５７】
その結果、アンプＡ１の電源端子に供給されるＤＣ電源電圧が下限電圧未満であれば、下限電圧検出回路１３の出力信号と上限電圧検出回路１５の出力信号がともに論理「０」の信号になるので、ＮＯＲ回路１６が論理「０」の信号を出力し、インバータＩＣ１４がパルス信号を出力する。これにより、ＰＮＰトランジスタＱ１においてオン状態とオフ状態が周期的に切り替わり、緑色ＬＥＤ１１ＧのアノードへのＤＣ電源電圧の供給／非供給が周期的に切り替わり、緑色ＬＥＤ１１Ｇが点滅する。また、アンプＡ１の電源端子に供給されるＤＣ電源電圧が下限電圧以上、上限電圧以下であれば、下限電圧検出回路１３の出力信号が論理「１」の信号になり上限電圧検出回路１５の出力信号が論理「０」の信号になるので、ＮＯＲ回路１６が論理「１」の信号を出力し、インバータＩＣ１４がＬｏｗレベルの一定信号を出力する。これにより、ＰＮＰトランジスタＱ１がオン状態になり、緑色ＬＥＤ１１ＧのアノードにＤＣ電源電圧が供給され緑色ＬＥＤ１１Ｇが点灯する。また、アンプＡ１の電源端子に供給されるＤＣ電源電圧が上限電圧より大きければ、下限電圧検出回路１３の出力信号と上限電圧検出回路１５の出力信号がともに論理「１」の信号になるので、ＮＯＲ回路１６が論理「０」の信号を出力し、インバータＩＣ１４がパルス信号を出力する。これにより、ＰＮＰトランジスタＱ１においてオン状態とオフ状態が周期的に切り替わり、緑色ＬＥＤ１１ＧのアノードへのＤＣ電源電圧の供給／非供給が周期的に切り替わり、緑色ＬＥＤ１１Ｇが点滅する。一方、ＰＮＰトランジスタＱ２のエミッタにはＤＣ電源電圧が供給されないので、ＰＮＰトランジスタＱ２がオフ状態であり、赤色ＬＥＤ１１Ｒは消灯している。
【００５８】
次に、図１（ｂ）に示すように本体部１０から電源部２０を分離して電源部２０を商用電源コンセントの近くに設置し本体部１０のＲＦ出力端子Ｔ２と電源部２０のＲＦ入力兼給電出力端子２１とを同軸ケーブル３０で接続した状態での動作について説明する。商用電源プラグ２３が商用電源コンセントに差し込まれていない場合、ＲＦ出力端子Ｔ２にＤＣ電源電圧が重畳せず、本体部側給電端子１２にもＤＣ電源電圧が印加されないので、アンプＡ１が駆動せず、緑色ＬＥＤ１１Ｇも赤色ＬＥＤ１１Ｒも消灯している。
【００５９】
これに対して、商用電源プラグ２３が商用電源コンセントに差し込まれている場合、ＲＦ出力端子Ｔ２にＤＣ電源電圧が重畳され、本体部側給電端子１２にはＤＣ電源電圧が印加されない。ＲＦ出力端子Ｔ２に重畳されたＤＣ電源電圧は高周波阻止用コイルＭ１及び逆流防止用ダイオードＤ２を介してアンプＡ１の電源端子に供給され、そのＤＣ電源電圧によってアンプＡ１が駆動する。また、ＲＦ出力端子Ｔ２に重畳されたＤＣ電源電圧は高周波阻止用コイルＭ１を介してＰＮＰトランジスタＱ２のエミッタにも供給される。下限電圧検出回路１３は、アンプＡ１の電源端子に供給されるＤＣ電源電圧が下限電圧（予め設定している下限閾値）以上であるか否かを判定し、アンプＡ１の電源端子に供給されるＤＣ電源電圧が下限電圧以上であれば論理「１」の信号を出力し、アンプＡ１の電源端子に供給されるＤＣ電源電圧が下限電圧未満であれば論理「０」の信号を出力する。上限電圧検出回路１５は、アンプＡ１の電源端子に供給されるＤＣ電源電圧が上限電圧（予め設定している上限閾値）以下であるか否かを判定し、アンプＡ１の電源端子に供給されるＤＣ電源電圧が上限電圧以下であれば論理「０」の信号を出力し、アンプＡ１の電源端子に供給されるＤＣ電源電圧が上限電圧より大きければ論理「１」の信号を出力する。ＮＯＲ回路１６は、下限電圧検出回路１３の出力信号と上限電圧検出回路１５の出力信号を入力し、下限電圧検出回路１３の出力信号と上限電圧検出回路１５の出力信号の否定論理和を出力する。インバータＩＣ１４は、論理「１」の信号を入力した場合にはＬｏｗレベルの一定信号を出力し、論理「０」の信号を入力した場合にはＬｏｗレベルとＨｉｇｈレベルが周期的に切り替わるパルス信号を出力する。そして、ＰＮＰトランジスタＱ１のベースにはインバータＩＣ１４の出力信号が供給される。
【００６０】
その結果、アンプＡ１の電源端子に供給されるＤＣ電源電圧が下限電圧未満であれば、下限電圧検出回路１３の出力信号と上限電圧検出回路１５の出力信号がともに論理「０」の信号になるので、ＮＯＲ回路１６が論理「０」の信号を出力し、インバータＩＣ１４がパルス信号を出力する。これにより、ＰＮＰトランジスタＱ２においてオン状態とオフ状態が周期的に切り替わり、赤色ＬＥＤ１１ＲのアノードへのＤＣ電源電圧の供給／非供給が周期的に切り替わり、赤色ＬＥＤ１１Ｒが点滅する。また、アンプＡ１の電源端子に供給されるＤＣ電源電圧が下限電圧以上、上限電圧以下であれば、下限電圧検出回路１３の出力信号が論理「１」の信号になり上限電圧検出回路１５の出力信号が論理「０」の信号になるので、ＮＯＲ回路１６が論理「１」の信号を出力し、インバータＩＣ１４がＬｏｗレベルの一定信号を出力する。これにより、ＰＮＰトランジスタＱ２がオン状態になり、赤色ＬＥＤ１１ＲのアノードにＤＣ電源電圧が供給され赤色ＬＥＤ１１Ｒが点灯する。また、アンプＡ１の電源端子に供給されるＤＣ電源電圧が上限電圧より大きければ、下限電圧検出回路１３の出力信号と上限電圧検出回路１５の出力信号がともに論理「１」の信号になるので、ＮＯＲ回路１６が論理「０」の信号を出力し、インバータＩＣ１４がパルス信号を出力する。これにより、ＰＮＰトランジスタＱ２においてオン状態とオフ状態が周期的に切り替わり、赤色ＬＥＤ１１ＲのアノードへのＤＣ電源電圧の供給／非供給が周期的に切り替わり、赤色ＬＥＤ１１Ｒが点滅する。一方、ＰＮＰトランジスタＱ１のエミッタにはＤＣ電源電圧が供給されないので、ＰＮＰトランジスタＱ１がオフ状態であり、緑色ＬＥＤ１１Ｇは消灯している。
【００６１】
本発明の第３実施形態に係る電源分離型ブースターでは、上記の通り、電源部２０が本体部１０に内蔵されている状態で給電がなされている場合に緑色ＬＥＤ１１Ｇが点灯あるいは点滅し、電源部２０が本体部１０に内蔵されていない状態で給電がなされている場合に赤色ＬＥＤ１１Ｒが点灯あるいは点滅する。したがって、電源部２０が本体部１０に内蔵されている状態で給電がなされているか電源部２０が本体部１０に内蔵されていない状態で給電がなされているかを一目で確認することができる。
【００６２】
また、本発明の第３実施形態に係る電源分離型ブースターでは、上記の通り、下限電圧以上、上限電圧以下のＤＣ電源電圧がアンプＡ１の電源端子に給電されている場合に緑色ＬＥＤ１１Ｇあるいは赤色ＬＥＤ１１Ｒが点灯し、下限電圧以上、上限電圧以下の範囲にないＤＣ電源電圧がアンプＡ１の電源端子に給電されている場合に緑色ＬＥＤ１１Ｇあるいは赤色ＬＥＤ１１Ｒが点滅する。したがって、アンプＡ１の電源端子に給電されているＤＣ電源電圧が下限電圧以上、上限電圧以下であるか否かを一目で確認することができる。例えば、図１（ｂ）に示す状態で同軸ケーブル３０が長ければ同軸ケーブル３０での抵抗損失によってＤＣ電源電圧が下限電圧未満になることがあり、また、電源部２０として別機種の電源部が誤って使用されＤＣ電源電圧が下限電圧未満なったり上限電圧より大きくなったりすることがあるため、アンプＡ１の電源端子に給電されているＤＣ電源電圧が下限電圧以上、上限電圧以下であるか否かを一目で確認することができることは有用である。
【符号の説明】
【００６３】
１０  本体部
１１  表示素子
１１Ｇ  緑色ＬＥＤ
１１Ｒ  赤色ＬＥＤ
１２  本体部側給電端子
１３  下限電圧検出回路
１４  インバータＩＣ
１５  上限電圧検出回路
１６  ＮＯＲ回路
２０  電源部
２１  ＲＦ入力兼給電出力端子
２２  ＲＦ出力端子
２３  商用電源プラグ
Ａ１  アンプ
Ｃ１、Ｃ２  直流阻止用コンデンサ
Ｄ１、Ｄ２  逆流防止用ダイオード
Ｍ１  高周波阻止用コイル
Ｑ１、Ｑ２  ＰＮＰトランジスタ
Ｒ１  抵抗
Ｔ１  ＲＦ入力端子
Ｔ２  ＲＦ出力端子
【図１】
2012114836.tif 000003
【図２】
2012114836.tif 000004
【図３】
2012114836.tif 000005
【図４】
2012114836.tif 000006